(57)【要約】【課題】支柱に沿って上限位置まで上昇した可動ステージを簡易な構成で該支柱に対して直接係止することが可能であり、しかも、かかる係止及びその解除を電気的な機構を用いることなく地上から簡便に操作することが可能なロック機構付き昇降装置を提供する。【解決手段】手動ウィンチを用いた人力によって昇降用ワイヤの巻き取り及び繰り出しを行い、それによって可動ステージを支柱に沿って昇降させる一方、この可動ステージが上限位置に達した際に、かかる位置に可動ステージを係止するロック手段を備えている。このロック手段は、可動ステージの上限位置で支柱に取り付けられた第１部材と、上記可動ステージに取り付けられ、上記手動ウィンチの巻き上げ動作及び繰り出し動作の組み合わせに連動して上記第１部材に係止され、又は係止状態が解除される第２部材とから構成されている。【選択図】　　　　　　　　図５
2004043036.tif 000002
【特許請求の範囲】
【請求項１】
固定部に立設された支柱と、この支柱に沿って昇降する可動ステージと、この可動ステージを昇降させるために上記固定部上に取り付けられた手動ウィンチと、一端が上記可動ステージに連結されると共に、上記支柱の上端に設けられた滑車を経由して他端が上記手動ウィンチによって巻き取られる昇降用ワイヤと、上記支柱に沿って上昇した可動ステージを上限位置において係止するロック手段とを備え、
上記ロック手段は、上記可動ステージの上限位置で支柱に取り付けられた第１部材と、上記可動ステージに取り付けられ、上記手動ウィンチの巻き上げ動作及び繰り出し動作の組み合わせに連動して上記第１部材に係止され、または係止状態が解除される第２部材とから構成されていることを特徴とする昇降装置。
【請求項２】
上記第１部材は可動ステージの昇降方向と直交する方向へ平行に移動自在なロックピンである一方、第２部材はこのロックピンの先端と係合する案内溝を備えたロックプレートであり、手動ウィンチの巻き上げ動作及び繰り出し動作により、ロックピンの先端が案内溝内の係止位置に誘導されることを特徴とする請求項１記載の昇降装置。
【請求項３】
上記ロックプレートの案内溝は、ロックピンの先端を係止位置に導く誘導溝と、ロックピンの先端を係止位置から案内溝の外へ導く解除溝とを有し、ロックピンはこれら誘導溝及び解除溝を一方向へのみ通過することを特徴とする請求項２記載の昇降装置。
【請求項４】
上記ロックプレートには、手動ウィンチの巻き上げによって上記誘導溝内に一旦導入されたロックピンが、かかる手動ウィンチの繰り出しによって誘導溝内を逆行するのを防止するストッパー部材が設けられていることを特徴とする請求項３記載の昇降装置。
【発明の詳細な説明】
【０００１】
【発明の属する技術分野】
本発明は、例えば、照明灯や看板等の目的物を支柱上の高所に設置するための昇降装置に係り、詳細には、目的物を高所において継続的に係止しておくためのロック機構付き昇降装置に関する。
【０００２】
【従来の技術】
例えば、屋外の照明設備としては、高さ数十ｍの支柱の上部に照明器具を搭載したものが知られているが、かかる照明器具そのものを永続的に高所に設置してしまったのでは、電球の交換等のメインテナンスの実施が困難となってしまう。このことから、従来より、支柱に沿って昇降自在な可動ステージを備え、かかる可動ステージ上に高所設置の目的物たる照明器具等を搭載することが可能な昇降装置が提案されている（特開平６−１１５９００号公報、特開平１０−１０６３３８号公報、特開平１１−１７１４８３号公報等）。
【０００３】
この種の昇降装置は、地面等の固定部に立設された支柱と、この支柱に沿って昇降自在な可動ステージと、この可動ステージに連結されると共に支柱先端の滑車に架け回されたワイヤとを備えており、かかるワイヤをウィンチによって巻き上げ又は巻き戻すことで、上記可動ステージを支柱に沿って自在に昇降させることができるようになっている。
【０００４】
このような構成において、可動ステージを支柱の上限位置で係止しておくためには、ウィンチでワイヤを巻き上げて可動ステージを上限位置まで上昇させた後、かかる状態でウィンチを固定しおくことが必要となる。しかし、この状態だと可動ステージの荷重が張力としてワイヤに作用しているので、長期にわたってこのような状態を持続すると、ワイヤが金属疲労によって劣化し、ワイヤの切断による可動ステージの落下事故の発生が懸念される。
【０００５】
ワイヤの疲労を防止するためには、上限位置まで上昇した可動ステージを支柱に対して直接係止し、ワイヤを緩めても可動ステージが下降しないように構成すれば良いのだが、そのためには支柱の上限位置、すなわち高所において可動ステージの係止及び係止状態の解除を行わなければならず、しかもその操作を支柱の根元である地上で行うことが必要とされる。
【０００６】
このため、特開平１１−１７１４８３号公報に開示される昇降装置では、ソレノイドによって電気的に駆動されるロック機構を支柱の上限位置に設け、地上におけるスイッチ操作によって可動ステージの上限位置への係止及びその解除を行うように構成している。
【０００７】
【発明が解決しようとする課題】
しかし、このよう昇降装置は屋外に配置される場合が殆どであり、支柱の上部に電気的に駆動されるロック機構を設けるのであれば、かかるロック機構を風雨から防護する必要が生じ、支柱上の構造が複雑なものとならざるを得ない。また、風雨や日射による温度変化等の影響により駆動源であるソレノイドに故障が発生した場合には、可動ステージを上限位置から下降させることができなくなってしまうといった不都合が生じる。更に、ソレノイドを駆動するための電源が必要となることから、例えば道路標識等にこの昇降装置を用いる場合には、各道路標識毎に電気配線を行うことが要求され、設置コストという面において現実的ではない。
【０００８】
本発明はこのような問題点に鑑みなされたものであり、その目的とするところは、支柱に沿って上限位置まで上昇した可動ステージを簡易な構成で該支柱に対して直接係止することが可能であり、しかも、かかる係止及びその解除を電気的な機構を用いることなく地上から簡便に操作することが可能なロック機構付き昇降装置を提供することにある。
【０００９】
【課題を解決するための手段】
上記目的を達成するために、本発明の昇降装置は、手動ウィンチを用いた人力によって昇降用ワイヤの巻き取り及び繰り出しを行い、それによって可動ステージを支柱に沿って昇降させる一方、この可動ステージが上限位置に達した際に、かかる位置に可動ステージを係止するロック手段を備えている。このロック手段は、可動ステージの上限位置で支柱に取り付けられた第１部材と、上記可動ステージに取り付けられ、上記手動ウィンチの巻き上げ動作及び繰り出し動作の組み合わせに連動して上記第１部材に係止され、又は係止状態が解除される第２部材とから構成されており、オペレータによる手動ウィンチの操作のみで可動ステージが支柱の上限位置でロックされ、更にロック状態が解除されるようになっている。
【００１０】
かかるロック手段は支柱側に設けられた第１部材と可動ステージ側に設けられた第２部材とから構成されており、これら機械的要素によってのみ構成されているので、電気的なロック機構に比較して非常に簡易で且つ堅牢であり、しかも手動ウィンチによる昇降用ワイヤの巻き上げ及び繰り出し動作に連動して係止及び解除が行われるので、オペレータは手動ウィンチだけを操作すれば、自ずと可動ステージの上限位置への係止及び解除が行われる結果となる。このため、可動ステージの昇降に要するオペレータの操作は非常に簡便なものとなり、その分だけ誤操作を防止することもできるものである。
【００１１】
【発明の実施の形態】
以下、添付図面に基づいて本発明のロック機構付き昇降装置を詳細に説明する。
図１は航空機に対して地上の障害物を知らせる航空障害灯に本発明を適用した実施例を示すものである。この航空障害灯は、大きくは、地表等の固定部Ｂに対してアンカーボルト１０で固定された支注１と、この支柱１に沿って自在に昇降する可動ステージ２と、この可動ステージ２を昇降させるために操作小屋３内に設けられた手動ウィンチ４と、一端が上記可動ステージ２に連結されると共に、上記支柱１の上端に設けられた滑車１１を介して他端が上記手動ウィンチ４に巻き取られる昇降用ワイヤ５と、上記可動ステージ２を支柱１の上限位置において係止するロック手段６と、上記可動ステージ２上に立設された障害灯７とから構成されており、上記手動ウィンチ４の巻き上げ及び繰り出しに応じて可動ステージ２が障害灯７と共に昇降するようになっている。
【００１２】
上記支柱１は中空部を有して円筒状に形成されており、かかる中空部は昇降用ワイヤ５等のワイヤ類や障害灯７に給電するケーブルの収容空間になっている。また、支柱１の下端近傍にはオペレータが中空部に出入りするための点検口（図示せず）が設けられており、支柱１の上端に設けられた滑車１１や避雷針１２を点検する際には、中空部内に設けられた梯子（図示せず）を使って支柱の上端へ昇ることができるようになっている。尚、図中の符号１３は障害灯７に接続された給電ケーブルを巻き取るリールであり、可動ステージ２を下降させた際には給電ケーブルを繰り出し、可動ステージ２を上昇させた際には給電ケーブルを巻き取るように構成されている。
【００１３】
上記支柱１の外周面には周方向を３等分するようにして可動ステージ２を案内するためのレール１４が設けられており、これらレール１４は支柱１の軸方向へ延びている。図３に可動ステージ２の平面図を示すように、この可動ステージ２は支柱１の外周面を取り囲むリング状に形成されており、上記レール１４上を走行する３組のガイドローラ１５ａ，１５ｂ，１５ｃがローラベース１６ａ，１６ｂ，１６ｃを介して可動ステージ２に保持されている。可動ステージが支柱に対してガタつくのを防止するため、ガイドローラ１５ｂ，１５ｃは圧縮されたスプリング１７を介してローラベース１６ｂ，１６ｃに保持されており、これによって各ガイドローラ１５ａ，１５ｂ，１５ｃがレール１４に対して押し付けられ、総てのガイドローラとレール１４との隙間が排除されるようになっている。また、ローラベース１６ａに対しては障害灯ベース１８が固定されており、障害灯７はこの障害灯ベース１８の上に立設されている。
【００１４】
上記昇降用ワイヤ５の一端は可動ステージ２に設けられた吊シャフト１９に連結されている。図１に示されるように、この昇降用ワイヤ５は支柱１の先端に設けられた滑車１１に架け回された後に支柱１の中空部内を降下し、滑車２０を介して操作小屋３内の手動ウィンチ４に巻き取られている。この手動ウィンチには逆転を防止するためのラチェット機構が設けられており、図示外のセレクターレバーを操作することで、巻き上げと繰り出しの両方向の操作を行えるようになっている。可動ステージ２は支柱１の先端から昇降用ワイヤ５によって吊るされているので、手動ウィンチ４で昇降用ワイヤ５を巻き上げれば、上記可動ステージ２が支柱に沿って上昇し、逆に手動ウィンチ４で昇降用ワイヤ５を繰り出せば、上記可動ステージ２が支柱１に沿って下降することになる。尚、下限位置まで降下した可動ステージを下方から支えるため、支柱の外周面には下限位置に対応してエンドストッパ２１が突設されている。
【００１５】
手動ウィンチ４で可動ステージ２の昇降を行わせる際のオペレータＯＰの負担を軽減するため、支柱１内にはカウンターウェイト２２がウェイトワイヤ２３によって吊るされており、このウェイトワイヤ２３は支柱１の先端に設けられた滑車２４を介して可動ステージ２に連結されている。このカウンタウェイト２２は可動ステージ２の重さと略同等の重量があり、滑車２４の両側で可動ステージ２とカウンターウェイト２２が略釣り合った状態にある。また、可動ステージ２にはウェイトホルダ２５が設けられており、このウェイトホルダ２５に搭載するウェイトの量を調整することで、支柱１の周囲における可動ステージ２全体のウェイトバランスを図り、かかる可動ステージ２の昇降時に傾きが発生するのを防止して、昇降動作の円滑化が達成されるようになっている。
【００１６】
一方、上記ロック手段６は、可動ステージ２が上昇した際の上限位置に対応して支柱１に設けられた第１部材としてのロックピン３０と、可動ステージ２に固定されて該可動ステージ２と共に昇降する第２部材としての一対のロックプレート４０，４０とから構成されている。図１に示されるように、支柱１の上端には滑車１１，２４を固定したトッププレート２６が設けられているが、上記ロックピン３０はこのトッププレート２６から垂下したピンホルダ２７に保持されている。このピンホルダ２７は、図２乃至図４に示されるように、支柱１の外周面の法線を挟んで互いに平行に配設された一対のサイドプレート３１，３１を有しており、各サイドプレート３１には可動ステージ２の昇降方向と直交する方向に沿って長孔３２が形成され、上記ロックピン３０の端部がこの長孔３２に遊嵌している。ロックピン３０は両端部を各サイドプレート３１から外側へ突出させており、かかるロックピン３０がサイドプレート３１に対して軸方向へスライドすることがないよう、このロックピン３０には抜け止めリング３３が固定されている。従って、ロックピン３０は両端部をサイドプレート３１から外側へ突出させた状態で、長孔３２に沿って平行に、具体的には支柱１と近接又は離間する方向へ自在に移動することが可能となっている。また、サイドプレート３１に形成された長孔３２は可動ステージ２を上昇させた際の上限係止位置に対応している。
【００１７】
一対のロックプレート４０，４０はプレートホルダ４１を介して可動ステージ２に固定されており、このプレートホルダ４１によって支柱１の外周面の法線を挟んで互いに平行に配設されている。図２及び図３に示されるように、互いに平行に配設されたロックプレート４０，４０の間隔はピンホルダ２７のサイドプレート３１の間隔よりも僅かに広く形成されており、可動ステージ２が支柱１に沿って上昇して上限位置に接近すると、上記ピンホルダ２７が一対のロックプレート４０，４０の間に挿入されるようになっている。
【００１８】
各ロックプレート４０の側面には上記ロックピン３０の先端と係合する案内溝４２が形成されおり、一対のロックプレート４０，４０は案内溝４２が形成された面を対向させるようにしてプレートホルダ４１に固定されている。このため、可動ステージ２が支柱１に沿って上昇し、前述の如く一対のロックプレート４０，４０の間にピンホルダ２７が挿入されると、かかるピンホルダ２７のサイドプレート３１から外側に突出したロックピン３０の両端が各ロックプレート４０の案内溝４２に進入するようになっている。
【００１９】
図５は及び図６はロックピン３０の先端とロックプレート４０の案内溝４２との関係について示したものである。かかる案内溝４２は可動ステージ２の昇降に応じてロックピン３０を誘導するカム溝のようなものであり、案内溝４２内に設けられた係止位置Ｐ０　にロックピン３０を位置させることにより、かかるロックピン３０が可動ステージ２の荷重に抗して該可動ステージ２を支柱１上の上限位置に継続的に係止するようになっている。この案内溝４２は、大きく分けて、ロックピンを案内溝内に進入させるテーパ溝４３と、ロックピン３０を係止位置Ｐ０　に導く誘導溝４４と、ロックピン３０を係止位置Ｐ０　から案内溝４２の外へ導く解除溝４５とから構成されている。
【００２０】
上記誘導溝４４はテーパ溝４３から進入したロックピン３０を第１位置Ｐ１　まで鉛直下方へ導く第１領域４４ａと、第１位置Ｐ１　に対して斜め上方に設けられた係止位置Ｐ０　へロックピン３０を導く第２領域４４ｂとから構成されている。第１領域４４ａと第２領域４４ｂとの境界部にはロックピン３０に押圧されて揺動するストッパー部材４６が設けられており、このストッパー部材４６は第１領域４４ａを進行してきたロックピン３０に押圧されて揺動し、かかるロックピン３０が第１位置Ｐ１　に設定されるのを許容する一方、ロックピン３０が第１領域４４ａを通過した後は、元の位置に戻り、第１位置Ｐ１　に設定されたロックピン３０が係止位置Ｐ０　に設定されることなく第１領域４４ａを逆戻りするのを防止している。このストッパー部材４６はその重心と揺動中心との位置関係から、通常は図５（ａ）に示す位置に自ずと設定されるようになっている。
【００２１】
一方、上記解除溝４５は係止位置Ｐ０　の斜め下方に設けられた第２位置Ｐ２　にロックピン３０を導く第３領域４５ａと、第２位置Ｐ２　に設定されたロックピン３０を誘導溝４４の第１領域４４ａへと戻す第４領域４５ｂとから構成されており、この解除溝４５は誘導溝４４の周囲を迂回するように該誘導溝４４とは別経路で形成されている。
【００２２】
このようなロックピン３０及びロックプレート４０から構成される本実施例のロック手段６は可動ステージ２の昇降に併せて以下のように機能する。
先ず、オペレータＯＰが手動ウィンチ４を巻き上げることにより、前述の如く一対のロックプレート４０，４０の間にピンホルダ２７が挿入される位置まで可動ステージ２が上昇してくると、先ずは、図５（ａ）に示すように、ロックピン３０が上昇してきたロックプレート４０のテーパ溝４３に突き当たり、かるロックピン３０はこのテーパ溝４３によってサイドプレート３１の長孔３２内を水平方向に動かされながら誘導溝４４の第１領域４４ａに進入する。このまま、手動ウィンチ４が巻き上げられると、図５（ｂ）に示すように、ロックピン３０はストッパー部材４６を押し退けて誘導溝４４内の第１位置Ｐ１　に到達する。この第１位置Ｐ１　において誘導溝４４は鋭角に曲がっているので、これ以上は可動ステージ２を上昇させようとしても、ロックピン３０が誘導溝４４の側壁に突き当たることになり、ロックプレート４０、ひいては可動ステージ２の上昇が阻止され、オペレータＯＰは手動ウィンチ４を巻き上げることができなくなる。
【００２３】
このように手動ウィンチ４の巻き上げが重くなったら、オペレータＯＰは手動ウィンチ４を逆転させ、逆に巻き上げていた昇降用ワイヤ５を繰り出して可動ステージ２を下降させる。これにより、ロックピン３０はロックプレート４０に対して相対的に上昇するが、このときは既にストッパー部材４６が元の位置に戻って第１領域４４ａを塞いでいるので、図５（ｃ）に示すように、ロックピン３０は誘導溝４４の第２領域４４ｂに案内されて係止位置Ｐ０　に到達する。誘導溝４４と解除溝４５が連通するこの係止位置Ｐ０　において、案内溝４２は下方に向けて鋭角に屈曲しているので、昇降用ワイヤ５の繰り出しによって可動ステージ２が下降しようとしても、ロックプレート４０の下降がロックピン３０によって係止されることとなり、結果として可動ステージ２の下降が係止される。すなわち、ロックピン３０がロックプレート４０の係止位置Ｐ０　に設定されたことによって、可動ステージ２がロックピン３０の配設位置、すなわち支柱１の上限位置でロックされ、以降は手動ウィンチ４から昇降用ワイヤ５を繰り出しても、可動ステージ２は下降することなく上限位置で係止されたままの状態となる。これにより、本実施例の昇降装置では、昇降用ワイヤ５に張力を付与することなく、可動ステージ２を支柱１の上限位置に保持し続けることができ、かかる昇降用ワイヤ５の疲労による劣化を防止することができるものである。
【００２４】
一方、支柱１の上限位置でロックされた可動ステージ２を降下させるには、先ず、オペレータＯＰが手動ウィンチ４によって昇降用ワイヤ５を巻き上げ、可動ステージ２を上昇させることが必要である。ロックプレート４０の解除溝４５は係止位置Ｐ０　から鉛直下方へ延びているので、ロックプレート４０がロックピン３０に対して相対的に上昇すると、かかるロックピン３０は解除溝４５の第３領域４５ａに導かれ、係止位置Ｐ０　から第２位置Ｐ２　に到達する。この第２位置Ｐ２　において解除溝４５は鋭角に曲がっているので、これ以上は可動ステージ２を上昇させようとしても、ロックピン３０が解除溝４５の側壁に突き当たることになり、ロックプレート４０、ひいては可動ステージ２の上昇が阻止され、オペレータＯＰは手動ウィンチ４を巻き上げることができなくなる。
【００２５】
手動ウィンチ４の巻き上げが重くなったら、オペレータＯＰは手動ウィンチ４を逆転させ、逆に巻き上げていた昇降用ワイヤ５を繰り出して可動ステージ２を下降させる。これにより、ロックピン３０はロックプレート４０に対して相対的に上昇し、第２位置Ｐ２　から鉛直上方へ延びる解除溝４５の第４領域４５ｂを通過して誘導溝４４の第１領域へ至り、最終的にはテーパ溝４３から案内溝４２の外へ脱出する。すなわち、ロックピン３０がロックプレート４０の案内溝４２を抜け出したことにより、これら両部材３０，４０の係合状態は解除され、以降は可動ステージ２を自由に下降させることが可能となる。
【００２６】
このように本実施例の昇降装置によれば、オペレータＯＰは手動ウィンチ４を巻き上げて可動ステージ２を上昇させ、巻き上げが困難になった時点で僅かに手動ウィンチ４を逆転させて昇降用ワイヤ５を繰り出せば、可動ステージ２を支柱１の上限位置でロックすることができ、また、可動ステージ２を下降させる際にも、手動ウィンチ４を僅かに巻き上げて可動ステージ２を上昇させ、巻き上げが困難になった時点で手動ウィンチ４を逆転させて昇降用ワイヤ５を繰り出せば、ロック状態を解除して可動ステージ２を支柱１の下限位置まで降下させることができるものである。
【００２７】
従って、オペレータＯＰは手動ウィンチ４の操作を行うだけで、可動ステージ２を上限位置でロックし、またロック解除も行うことができ、極めて簡便な操作で可動ステージ２の昇降を行うことができるものである。また、上記ロツク手段はロックピン及びロックプレートという極めて簡易且つ堅牢な構造により構成されているので、支柱の上端で風雨にさらされても信頼性が損なわれることはなく、長期にわたって安心して使用し続けることができるものである。更に、手動ウィンチの操作によってのみ動作するので、ロック手段の動作に電気配線等が必要なく、設置コストの低減化を図ることができるといった利点も兼ね備えている。
【００２８】
【発明の効果】
以上説明してきたように、本発明の昇降装置によれば、支柱側に設けられた第１部材と可動ステージ側に設けられた第２部材とからロック手段を構成し、手動ウィンチによる昇降用ワイヤの巻き上げ及び繰り出し動作に連動して可動ステージの上限位置での係止及び解除を行うようにしたので、可動ステージを簡易な構成で該支柱に対して直接係止することが可能であり、しかも、かかる係止及びその解除を電気的な機構を用いることなく地上から簡便に操作することが可能となる。
【図面の簡単な説明】
【図１】本発明を適用した昇降装置の実施例を示す正面図である。
【図２】図１のＩＩ−ＩＩ線断面図である。
【図３】実施例に係るピンホルダとプレートホルダとの位置関係を示す側面図である。
【図４】実施例に係るピンホルダとプレートホルダとの位置関係を示す正面断面図である。
【図５】ロックピンをロックプレートの係止位置に設定する手順を示す図である。
【図６】ロックピンとロックプレートとの係合状態を解除する際の手順を示す図である。
【符号の説明】
１…支柱、２…可動ステージ、４…手動ウィンチ、５…昇降用ワイヤ、６…ロック手段、３０…ロックピン（第１の部材）、４０…ロックプレート（第２の部材）、４２…案内溝
【図１】
2004043036.tif 000003
【図２】
2004043036.tif 000004
【図３】
2004043036.tif 000005
【図４】
2004043036.tif 000006
【図５】
2004043036.tif 000007
【図６】
2004043036.tif 000008